(57)【要約】      （修正有）【課題】葉からの水分の蒸散を抑えて根の生育を促進する育苗施設用空気調和システムを提供する。【解決手段】育苗室２の内部に育苗ベンチ２０が載置されるベンチ置台１０と、苗３の温度を調整する空調機３０とを設置し、ベンチ置台１０を、育苗ベンチ２０が載置される上面が輻射パネル１１で形成された閉ダクトにより構成し、閉ダクトの内部に、冷凍サイクルを行って閉ダクト内を空調する空調機３０を設置する。【選択図】図１
2018068194.tif 000002
【特許請求の範囲】
【請求項１】
育苗室（2）の内部に設置されるとともに育苗ベンチ（20）が載置されるベンチ置台（10）と、苗（3）の温度を調整する空調機（30）とを備えた育苗施設用空気調和システムであって、
上記ベンチ置台（10）は、上記育苗ベンチ（20）が載置される上面が輻射パネル（11）で形成された閉ダクトにより構成され、該閉ダクトの内部に、冷凍サイクルを行って上記閉ダクト内を空調する上記空調機（30）が設置されていることを特徴とする育苗施設用空気調和システム。
【請求項２】
請求項１において、
上記輻射パネル（11）が、金属板で形成されたパネルであることを特徴とする育苗施設用空気調和システム。
【請求項３】
請求項１または２において、
上記ベンチ置台（10）は、閉ダクトを構成する左右側面（14）と下面（15）とが断熱構造体で構成されていることを特徴とする育苗施設用空気調和システム。
【請求項４】
請求項１から３の何れか１つにおいて、
上記輻射パネル（11）の上面に、水を溜めるための貯水部（11a）が設けられていることを特徴とする育苗施設用空気調和システム。
【請求項５】
請求項１から４の何れか１つにおいて、
上記ベンチ置台（10）を構成する閉ダクトの内部には、その一端側から他端側へ空調空気を送る空気通路（16）が形成されていることを特徴とする育苗施設用空気調和システム。
【発明の詳細な説明】
【技術分野】
【０００１】
本発明は、育苗施設用空気調和システムに関し、特に、空調空気により苗の温度を調節するように構成された育苗施設用空気調和システムに関するものである。
【背景技術】
【０００２】
従来、育苗施設用空気調和システムとして、例えば特許文献１には、栽培ベッド（育苗ベンチ）を載せるベンチ（置台）の内部をダクトとして構成するとともに、このダクトの内部で散水して水と空気を熱交換させて、ダクト内部で冷却または加熱された空気をダクト外部に流出させて苗に供給する技術が開示されている。
【０００３】
また、特許文献２には、育苗室の内部に複数段の育苗架台（置台）を形成してその上に育苗ベッド（育苗ベンチ）を載置するとともに、育苗室に設けた空調機で空気を育苗室の空気通路に流し、苗に空調空気を供給する技術が開示されている。
【先行技術文献】
【特許文献】
【０００４】
【特許文献１】特開２００２−３３０６４０号公報
【特許文献２】特開平５−０７１７６２号公報
【発明の概要】
【発明が解決しようとする課題】
【０００５】
しかしながら、特許文献１，２の技術では、苗の周りを空調空気が通過するため、風が苗に直接当たることになる。風が苗に当たると、葉から水分が蒸散して乾燥しやすくなり、根の生育が遅れることが考えられる。
【０００６】
本発明は、このような問題点に鑑みてなされたものであり、その目的は、空調空気により苗の温度を調節する育苗施設用空気調和システムにおいて、葉からの水分の蒸散を抑えて根の生育を促進できるようにすることである。
【課題を解決するための手段】
【０００７】
第１の発明は、育苗室（2）の内部に設置されるとともに育苗ベンチ（20）が載置されるベンチ置台（10）と、苗（3）の温度を調整する空調機（30）とを備えた育苗施設用空気調和システムを前提としている。
【０００８】
そして、この育苗施設用空気調和システムでは、上記ベンチ置台（10）は、上記育苗ベンチ（20）が載置される上面が輻射パネル（11）で形成された閉ダクトにより構成され、該閉ダクトの内部に、冷凍サイクルを行って上記閉ダクト内を空調する上記空調機（30）が設置されていることを特徴としている。
【０００９】
この第１の発明では、閉ダクトで構成されたベンチ置台（10）の内部の空間が、上記空調機（30）によって空調される。ベンチ置台（10）の内部が空調されると、該ベンチ置台（10）の上面が輻射パネル（11）で形成されているので、輻射パネル（11）の上面の育苗ベンチ（20）に輻射熱が伝達される。このことにより、苗（3）の葉には空気を当てずに、根の部分の温度が調整される。
【００１０】
第２の発明は、第１の発明において、上記輻射パネル（11）が、金属板で形成されたパネルであることを特徴としている。
【００１１】
この第２の発明では、輻射パネル（11）が金属板で形成されているので、ベンチ置台（10）の内部空間から育苗ベンチ（20）への輻射熱の伝達が促進される。
【００１２】
第３の発明は、第１または第２の発明において、上記ベンチ置台（10）が、閉ダクトを構成する左右側面（14）と下面（15）とが断熱構造体で構成されていることを特徴としている。
【００１３】
この第３の発明では、ベンチ置台（10）を構成する閉ダクトの左右側面（14）と下面（15）とが断熱構造体であるため、ベンチ置台（10）の内部空間から上面の輻射パネル（11）を介して育苗ベンチ（20）への輻射熱の伝達が促進される。
【００１４】
第４の発明は、第１から第３の発明の何れか１つにおいて、上記輻射パネル（11）の上面に、水を溜めるための貯水部（11a）が設けられていることを特徴としている。
【００１５】
この第４の発明では、輻射パネル（11）の上面に設けられた貯水部（11a）の水を介してベンチ置台（10）の内部空間から育苗ベンチ（20）へ輻射熱が伝達される。
【００１６】
第５の発明は、第１から第４の発明の何れか１つにおいて、上記ベンチ置台（10）を構成する閉ダクトの内部には、その一端側から他端側へ空調空気を送る空気通路（16）が形成されていることを特徴としている。
【００１７】
この第５の発明では、閉ダクトの内部の空気通路（16）を空調空気が流れるので、閉ダクトであるベンチ置台（10）の内部空間の空気の温度が均一になり、育苗ベンチ（20）へ伝達される輻射熱が均一になる。
【発明の効果】
【００１８】
本発明によれば、上記育苗ベンチ（20）が載置される閉ダクトであるベンチ置台（10）の上面を輻射パネル（11）で形成し、該閉ダクトの内部に、冷凍サイクルを行って上記ダクト内を空調する上記空調機（30）を設置したことにより、閉ダクトであるベンチ置台（10）の内部の空間が空調機（30）によって空調される一方、ベンチ置台（10）の上面の輻射パネル（11）に載せられた育苗ベンチ（20）にはベンチ置台（10）の内部空間の熱が輻射で伝達される。したがって、苗（3）には空調空気の風が当たらずに、苗（3）の根の部分の温度が輻射熱で調整されるので、葉から水分が蒸散するのを抑え、根の生育を促進できる。
【００１９】
上記第２の発明によれば、輻射パネル（11）を金属板で形成したことにより、ベンチ置台（10）の内部空間から育苗ベンチ（20）への輻射熱の伝達が促進されるようにしているので、葉から水分が蒸散するのを抑え、苗（3）の根の生育を促進できる効果を高められる。
【００２０】
上記第３の発明によれば、上記ベンチ置台（10）（閉ダクト）の輻射パネル（11）を除いた部分である左右側面（14）と下面（15）とを断熱構造体にしたことにより、ベンチ置台（10）の内部空間から育苗ベンチ（20）への輻射熱の伝達がより促進される。したがって、苗（3）の根の生育を促進できる効果をさらに高められる。
【００２１】
上記第４の発明によれば、輻射パネル（11）の上面に設けられた貯水部（11a）の水を介してベンチ置台（10）の内部空間から育苗ベンチ（20）へ輻射熱が伝達されるので、根の生育を促進できるし、水を介することで苗の温度を均一にしやすくなる。
【００２２】
上記第５の発明によれば、閉ダクトの内部の空気通路（16）を空調空気が流れるようにしたことにより、閉ダクトであるベンチ置台（10）の内部空間の空気の温度が均一になり、育苗ベンチ（20）へ伝達される輻射熱が均一になるので、苗（3）の根の生育を均一に促進できる。
【図面の簡単な説明】
【００２３】
【図１】図１は、本発明の実施形態１に係る育苗施設用空気調和システムを正面側から見た断面図である。
【図２】図２は、図１の育苗施設用空気調和システムを平面側から見た断面図である。
【図３】図３は、図１の育苗施設用空気調和システムを側面側から見た断面図である。
【図４】図４は、実施形態１の変形例に係る育苗施設用空気調和システムを平面から見た断面図である。
【図５】図５は、図４の育苗施設用空気調和システムを側面から見た断面図である。
【図６Ａ】図６Ａは、開閉板を閉じた状態の断面図である。
【図６Ｂ】図６Ｂは、開閉板を途中まで開いた状態の断面図である。
【図６Ｃ】図６Ｃは、開閉板を全開にした状態の断面図である。
【図７】図７は、本発明の実施形態２に係る育苗施設用空気調和システムを平面から見た断面図である。
【図８】図８は、図７の育苗施設用空気調和システムを側面から見た断面図である。
【発明を実施するための形態】
【００２４】
以下、本発明の実施形態に係る育苗施設用空気調和システム（1）を図面に基づいて詳細に説明する。
【００２５】
《発明の実施形態１》
本発明の実施形態１について説明する。図１は、本発明の実施形態１に係る育苗施設用空気調和システム（1）を正面側から見た断面図（図２のI−I線断面図）、図２は、図１の育苗施設用空気調和システム（1）を平面側から見た断面図（図１のII−II線断面図）、図３は、図１の育苗施設用空気調和システム（1）を側面側から見た断面図（図１のIII−III線断面図）である。
【００２６】
この育苗施設用空気調和システム（1）は、図示していない温室の内部空間である育苗室（2）の内部に設置されるとともに育苗ベンチ（20）が載置されるベンチ置台（10）と、苗（3）の温度を調整する空調機（30）とを備えている。この育苗施設用空気調和システム（1）は、一般に、育苗室（2）に複数台が設置される。複数台の設置の仕方は、育苗室の大きさなどに応じて適宜設定すればよい。なお、１台の育苗施設用空気調和システム（1）は、例えば、平面から見て幅が２〜３メートル、長さが１０メートル前後、正面から見て高さが１メートル程度である。
【００２７】
育苗ベンチ（20）は、例えば、全体が図１の長手方向（左右方向）に複数に分割された台であり、エキスパンドメタルで形成された底面に育苗トレイ（21）を並べて配置するように構成されたものである。各育苗トレイ（21）は、底板と４面の側板（17）を有して上面が解放された箱体で形成されている。育苗ベンチ（20）に配置された各育苗トレイ（21）には、複数の苗（3）が縦横に配列されている。各苗（3）は、下方が細くなったプラスチック製の苗容器（4）に１本ずつ入れられており、この苗容器（4）が各育苗トレイ（21）に縦横に配列された状態となるように、各育苗トレイ（21）に仕切り（図示せず）が設けられている。
【００２８】
上記ベンチ置台（10）は、育苗ベンチ（20）が載置される上部の輻射パネル（11）と、この輻射パネル（11）が上面に装着される下部のダクトケーシング（12）とからなる閉ダクトにより構成されている。閉ダクトの内部には、冷媒回路（図示せず）内を冷媒が循環することにより冷凍サイクルを行って上記閉ダクト内を空調するように、上記空調機（30）が設置されている。閉ダクト内には空調機（30）の室内機（31）が設置され、空調機（30）の室外機（図示せず）は閉ダクトの外に配置されて上記室内機（31）と冷媒配管（図示せず）で接続されている。
【００２９】
上記輻射パネル（11）は、金属板で形成されたパネルであり、閉ダクト内の空調された空気の輻射熱を輻射パネル（11）上に配列された苗（3）に伝えるようになっている。輻射パネル（11）の上面には、水を溜めるための浅い貯水部（11a）が設けられている。ベンチ置台（10）の輻射パネル（11）の上部には、育苗ベンチ（20）を載せるため、例えば断面が円形のパイプで形成された載置レール（13）が設けられている。この載置レール（13）は、閉ダクト内の空調された空気の輻射熱を輻射パネル（11）上に配列された苗（3）に伝えるように、伝熱方向の面積が最小となるようなレール構造になっている。
【００３０】
上記ベンチ置台（10）の閉ダクトを構成するダクトケーシング（12）の左右側面（14）と下面（15）は、断熱構造体で構成されている。このことにより、閉ダクト内の熱がダクトケーシング（12）の左右側面（14）と下面（15）から逃げにくくなって、熱が上面の輻射パネル（11）から苗（3）に伝わりやすくなる。
【００３１】
また、上記ベンチ置台（10）を構成する閉ダクトの内部には、その一端側から他端側へ空調空気を送る空気通路（16）が形成されている。具体的には、閉ダクトの左右側面（14）の側板（17）とそれぞれ平行に仕切板（18）が設けられ、側部通路（16a）が形成されている。上記空調機（30）は、空調空気の吹出口に空気配管（32）が接続され、この空気配管（32）が上記仕切板（18）を貫通して、側部通路（16a）に設けられたビニールダクト（33）に接続されている。ビニールダクト（33）内を流れる空気は、空気配管（32）との接続部の反対側で該ビニールダクト（33）から流出し、仕切板（18）に形成された開口（18a）を通じて中央部通路（16b）に流入する。空気通路（16）は、中央部通路（16b）に流入した空気が、空調機（30）のファン（図示せず）により空調機（30）の室内機（31）の中へ吸い込まれ、再び温度が調整されて空気配管（32）からビニールダクト（33）へ流出するように構成されている。
【００３２】
なお、ベンチ置台（10）のダクトケーシング（12）の図１，図２の右側の端部には、換気口（19）が設けられている。また、ダクトケーシング（12）には水抜き穴（図示せず）を設けてもよい。
【００３３】
−運転動作−
次に、この育苗施設用空気調和システム（1）の運転動作を説明する。
【００３４】
この育苗施設用空気調和システム（1）において、例えば冬期に空調機（30）を暖房運転で起動すると、中央部通路（16b）の空気が室内機（31）に吸い込まれて加熱され、室内機（31）から吹き出された温風は、空気配管（32）からビニールダクト（33）を流れていく。温風は、ビニールダクト（33）から流出すると仕切板（18）の開口（18a）を通って中央部通路（16b）に流入し、中央部通路（16b）を満たしながら室内機（31）へ向かって流れていく。
【００３５】
このようにして閉ダクトであるベンチ置台（10）の内部の空間が暖められると、この空間の温熱が輻射パネル（11）に伝達され、さらに育苗ベンチ（20）の苗（3）に温熱が伝達される。このことにより、苗（3）には空調空気が接触せずに、苗（3）が下部から温度調節される。したがって、苗（3）の葉からの水分の蒸散を抑えつつ、根の部分を暖めることが可能になる。
【００３６】
また、夏期は、ベンチ置台（10）の内部の空間が冷風で満たされ、輻射パネル（11）が冷やされる。冬期に比べると夏期は輻射熱が伝達されにくくなるが、輻射パネル（11）から苗（3）に対して冷熱は必ず伝えられるので、苗（3）が下部から冷やされる作用は必ず生じることになる。したがって、夏期においても、苗（3）の葉に空調空気を当てないことで葉からの水分の蒸散を抑えつつ、根の部分を冷やすことが可能になる。
【００３７】
−実施形態１の効果−
本実施形態によれば、育苗ベンチ（20）が載置される閉ダクトであるベンチ置台（10）の上面を金属板の輻射パネル（11）で形成し、該閉ダクトの内部に、冷凍サイクルを行って上記ダクト内を空調する上記空調機（30）を設置したことにより、閉ダクトであるベンチ置台（10）の内部の空間が空調機（30）によって空調される一方、ベンチ置台（10）の上面の輻射パネル（11）に載せられた育苗ベンチ（20）にはベンチ置台（10）の内部空間の熱が伝達される。したがって、苗（3）には空調空気の風が当たらずに、苗（3）の根の部分の温度が輻射熱で調整されるので、葉から水分が蒸散するのを抑え、根の生育を効果的に促進できる。
【００３８】
また、本実施形態によれば、ベンチ置台（10）（閉ダクト）の輻射パネル（11）を除いた部分である左右側面（14）と下面（15）とを断熱構造体で形成しているので、ベンチ置台（10）の内部空間から育苗ベンチ（20）への輻射熱の伝達がより促進され、苗（3）の根の生育を促進できる効果をさらに高められる。
【００３９】
また、本実施形態によれば、輻射パネル（11）の上面に設けられた貯水部（11a）の水を介してベンチ置台（10）の内部空間から育苗ベンチ（20）へ輻射熱が伝達されることも、根の生育を促進するのに寄与する。
【００４０】
さらに、本実施形態によれば、閉ダクトの内部の空気通路（16）を空調空気が流れるようにしたことにより、閉ダクトであるベンチ置台（10）の内部空間の空気の温度が均一になり、育苗ベンチ（20）へ伝達される輻射熱が均一になるので、苗（3）の根の生育を均一に促進できる効果を得ることもできる。
【００４１】
そして、冷房と暖房の両方で苗に風を当てずに苗を適切な温度に保つことができるので、年間を通じて苗を適切な条件で成長させることが可能になる。また、温室内の育苗室（2）の全体を空調しなくてもよいので、処理する空調負荷が小さくてすみ、イニシャルことストやランニングコストを抑えることも可能である。
【００４２】
−実施形態１の変形例−
実施形態１の変形例は、ダクトケーシング（12）の側板（17）に、夏期に冷気をダクトケーシング（12）内から外へわずかに逃がすための冷風窓（17a）を設けた例である。冷風窓（17a）は、図４及び図５に示すように、上記側板（17）の横方向に等間隔に設けられている。また、各冷風窓（17a）には、図６Ａ，図６Ｂ，図６Ｃに示すように、開閉板（17b）と閉鎖金具（17c）が設けられている。図６Ａは冷風窓（17a）を全閉状態にした図、図６Ｂはダクトケーシング（12）内から外へ冷気を逃がすように冷風窓（17a）を開状態にした図、図６Ｃは換気塔の際に冷風窓（17a）を全開状態にした図である。
【００４３】
この変形例のその他の構成は、図１〜図３の実施形態１と同様である。
【００４４】
この変形例では、夏期に、ベンチ置台（10）の内部の空間に冷風を流して輻射パネル（11）を冷やしながら、冷風窓（17a）を図６Ｂに示すように開状態にして、冷風をベンチ置台（10）から外部へわずかに流出させる。上述したように冬期に比べると夏期は輻射熱が伝達されにくくなるのに対して、このようにすると、ベンチ置台（10）の周りの下方に冷気を溜めることができる。したがって、この冷気により苗（3）の下部が冷やされることになり、苗（3）の葉には風がほとんど当たらない状態を保ったまま、根の部分を冷やすことができる。このことにより、図１〜図３の実施形態に比べて、夏期における苗（3）の冷却効果を高めることが可能になる。
【００４５】
なお、冬期は冷風窓（17a）を閉じて空調機（30）を暖房運転にするので、図１〜図３の実施形態と同様の作用効果を奏することが可能である。
【００４６】
《発明の実施形態２》
本発明の実施形態２について説明する。
【００４７】
この実施形態２では、ベンチ置台（10）のダクトケーシング（12）の内部に実施形態１の仕切板（18）を設けていない。また、この実施形態２では、室内機（31）の空気配管（32）に実施形態１のビニールダクト（33）を接続する代わりにフィルターダクト（35）を接続している。フィルターダクト（35）は、不織布により筒状に形成されて内部を空気が流れるダクトであり、フィルターダクト（35）の内部を流れる空気は不織布を通過して外部へ流出する。
【００４８】
この実施形態２は、以上の構成が実施形態１と異なる点を除いては、実施形態１と同様に構成されている。
【００４９】
この実施形態２では、空調機（30）の室内機（31）を起動すると、冷却または加熱された空気がフィルターダクト（35）を空気配管（32）側の一端から反対側の一端へ向かって流れる際に、その空気の一部が不織布を通過してフィルターダクト（35）の外部へ流出する。このことにより、空調された空気が閉ダクトであるベンチ置台（10）の中に満たされる。その結果、冬期には室内機（31）で加熱された空気の温熱が輻射パネル（11）を通じてベンチ置台（10）の苗（3）に伝達され、夏期には室内機（31）で冷却された空気の冷熱が輻射パネル（11）を通じてベンチ置台（10）の苗（3）に伝達される。したがって、この実施形態２においても、実施形態１と同様に、苗（3）に風を当てずに根の部分を温度調整できるので、苗（3）の成長を促進することが可能になる。
【００５０】
また、この実施形態では、仕切板（18）を設けなくてよいため、実施形態１と比較してダクトケーシング（12）の構成を簡素化することも可能となる。
【００５１】
《その他の実施形態》
上記実施形態については、以下のような構成としてもよい。
【００５２】
例えば、上記各実施形態では、輻射パネル（11）の上面に、水を溜めるための貯水部（11a）を設けているが、この貯水部（11a）は必ずしも設けなくてもよい。
【００５３】
また、上記実施形態では、ダクトケーシング（12）内の空気通路（16）を仕切板（18）やフィルターダクト（35）を用いて構成しているが、ダクトケーシング（12）内の温度を均一（またはほぼ均一）にできる限りは、ケーシングの内部構造を上記仕切板（18）やフィルターダクト（35）以外のものを用いて構成してもよい。
【００５４】
なお、以上の実施形態は、本質的に好ましい例示であって、本発明、その適用物、あるいはその用途の範囲を制限することを意図するものではない。
【産業上の利用可能性】
【００５５】
以上説明したように、本発明は、空調空気により苗の温度を調節する育苗施設用空気調和システムについて有用である。
【符号の説明】
【００５６】
1     育苗施設用空気調和システム
2     育苗室
3     苗
10    ベンチ置台
11    輻射パネル
11a   貯水部
14    左右側面
15    下面
16    空気通路
20    育苗ベンチ
30    空調機
【図１】
2018068194.tif 000003
【図２】
2018068194.tif 000004
【図３】
2018068194.tif 000005
【図４】
2018068194.tif 000006
【図５】
2018068194.tif 000007
【図６Ａ】
2018068194.tif 000008
【図６Ｂ】
2018068194.tif 000009
【図６Ｃ】
2018068194.tif 000010
【図７】
2018068194.tif 000011
【図８】
2018068194.tif 000012